(57)【要約】【課題】フィルタを簡易に着脱することができる空気清浄装置を提供する。【解決手段】フィルタ６０が着脱可能に保持される空気清浄装置１０において、フィルタ６０の一端面６０ａに当接する第１当接部２２、第１当接部２２と対向してフィルタ６０の他端面６０ｂに当接する第２当接部３１、フィルタ６０が第１当接部２２及び第２当接部３１の間に保持された状態で第１当接部２２を第２当接部３１に向かって付勢する第１伸縮部２３Ａ及び第２伸縮部２３Ｂを備え、第１当接部２２は、第１当接部２２と第２当接部３１との間にフィルタ６０を保持させる際にフィルタ６０を進入させる進入口側の端縁２２ｂが、フィルタ６０の進入を案内するテーパ面に形成されている。【選択図】図４
2016034602.tif 000002
【特許請求の範囲】
【請求項１】
空気の中の浮遊物質を集塵するフィルタが着脱可能に保持される空気清浄装置において、
前記フィルタの一端面に当接する第１当接部と、
該第１当接部と対向して前記フィルタの他端面に当接する第２当接部と、
前記第１当接部が前記フィルタの一端面に当接するとともに前記第２当接部が前記フィルタの他端面に当接して該フィルタが前記第１当接部及び第２当接部の間に保持された状態で前記第１当接部を前記第２当接部に向かって付勢する付勢手段と、を備え、
前記第１当接部は、
該第１当接部と前記第２当接部との間に前記フィルタを保持させる際に該フィルタを進入させる進入口側の端縁が、前記フィルタの進入を案内するテーパ面に形成されたことを特徴とする空気清浄装置。
【請求項２】
前記第１当接部または第２当接部の少なくともいずれか一方に、前記フィルタを該フィルタの保持位置に位置決めするガイド部が形成されたことを特徴とする請求項１に記載の空気清浄装置。
【請求項３】
前記第２当接部は、
前記第１当接部と前記第２当接部との間に前記フィルタを保持させる際に該フィルタを進入させる進入口側の端縁が、前記フィルタの進入を案内するテーパ面に形成されたことを特徴とする請求項１または２に記載の空気清浄装置。
【請求項４】
前記フィルタは、
前記一端面から他端面に亘って貫通する筒孔を有する筒状に形成され、
前記第１当接部は、
前記フィルタの一端面に当接した状態で前記筒孔に突出して該筒孔に内接する凸部が形成されたことを特徴とする請求項１〜３のいずれか１項に記載の空気清浄装置。
【発明の詳細な説明】
【技術分野】
【０００１】
本発明は、空気清浄装置、特に、空気の中の浮遊物質を集塵するフィルタを着脱可能に保持する空気清浄装置に関する。
【背景技術】
【０００２】
室内の空気の清浄化に用いられる空気清浄装置は、空気清浄装置の外形を構成する本体ケーシングを備え、一般的に、この本体ケーシングに、空気の流れ方向の上流側から下流側に向かって、フィルタ及びファンが順に配設されている（例えば、特許文献１を参照）。
【０００３】
このような空気清浄装置では、ファンの吸込力によって吸い込まれた空気中の塵埃や花粉等の浮遊物質が、繊維材からなるフィルタに付着して空気中から除去されて、空気が清浄化される。清浄化された空気は、再び室内に放出される。
【０００４】
この種の空気清浄装置では、例えば、図９の概略断面図で示すように、空気清浄装置１００の本体ケーシング１０１に、フィルタ１０２を保持するフィルタ保持部１０４、及びファン１０３を収容するファン収容部１０５が区画形成されている。
【０００５】
ところで、フィルタ１０２を保持するフィルタ保持部１０４は、リフタ機構１０６及び仕切部１０７によって区画形成される。リフタ機構１０６は、フィルタ１０２が載置されるリフタ１０６ａ、及びリフタ１０６ａを上昇あるいは下降させるリフタ装置１０６ｂを備える。
【０００６】
リフタ装置１０６ｂは、例えば送りネジ機構等によって構成され、図示しないツマミが送り方向に移動されることでリフタ１０６ａが上昇され、ツマミが戻し方向に移動されることでリフタ１０６ａが下降される。
【０００７】
一方、仕切部１０７は、フィルタ保持部１０４とファン収容部１０５とを区画しつつフィルタ保持部１０４とファン収容部１０５とを連通させる開口部を有する連通板１０７ａを備える。
【０００８】
リフタ１０６ａにフィルタ１０２が載置された状態で、ツマミが送り方向に移動されてリフタ１０６ａが上昇されると、フィルタ１０２の上部がフィルタ保持部１０４の仕切部１０７に当接して、フィルタ１０２の上部が仕切部１０７に押し付けられる。これにより、フィルタ１０２がフィルタ保持部１０４に保持される。
【０００９】
一方、フィルタ１０２がフィルタ保持部１０４に保持された状態で、ツマミが戻し方向に移動されてリフタ１０６ａが下降されると、フィルタ１０２の上部がフィルタ保持部１０４の仕切部１０７から離間して、フィルタ保持部１０４によるフィルタ１０２の保持が解除される。
【先行技術文献】
【特許文献】
【００１０】
【特許文献１】特開２００３−８８５７１公報
【発明の概要】
【発明が解決しようとする課題】
【００１１】
しかし、上記のようなリフタ機構においては、例えば、フィルタがリフタの適正な載置位置に位置決めされていない状態で、空気清浄装置の使用者がこれに気付かずにリフタを上昇させると、不適正な載置位置においてフィルタが保持されることとなる。
【００１２】
このように、フィルタが不適正な載置位置に位置決めされて誤取付けがなされた場合は、リフタを下降させてフィルタの上部をフィルタ保持部の仕切部から離間させて、フィルタ保持部によるフィルタの保持を解除し、その後、適正な載置位置に改めて位置決めをして、リフタを上昇させてフィルタを保持させる必要がある。
【００１３】
すなわち、誤取付けがなされた場合は、リフタの下降及び上昇を繰り返し行って、フィルタの保持の解除及び再度の保持を行う必要があることから、取付け作業をやり直すことに伴う作業負担が増加することが懸念される。
【００１４】
本発明は、上記事情に鑑みてなされたものであり、フィルタを簡易に着脱することができる空気清浄装置を提供することを課題とするものである。
【課題を解決するための手段】
【００１５】
上記課題を解決するための請求項１に記載の発明による空気清浄装置は、空気の中の浮遊物質を集塵するフィルタが着脱可能に保持される空気清浄装置において、前記フィルタの一端面に当接する第１当接部と、該第１当接部と対向して前記フィルタの他端面に当接する第２当接部と、前記第１当接部が前記フィルタの一端面に当接するとともに前記第２当接部が前記フィルタの他端面に当接して該フィルタが前記第１当接部及び第２当接部の間に保持された状態で前記第１当接部を前記第２当接部に向かって付勢する付勢手段と、を備え、前記第１当接部は、該第１当接部と前記第２当接部との間に前記フィルタを保持させる際に該フィルタを進入させる進入口側の端縁が、前記フィルタの進入を案内するテーパ面に形成されたことを特徴とする。
【００１６】
この構成によれば、第１当接部と第２当接部との間で、付勢手段が第１当接部を第２当接部に向かって付勢してフィルタを着脱可能に保持することから、第１当接部と第２当接部との間にフィルタを進入させる簡易な作業によって、フィルタが容易に保持される。
【００１７】
一方、空気清浄装置からフィルタを取り外す場合は、第２当接部に向かって第１当接部を付勢させる付勢手段の付勢力に抗して、第１当接部と第２当接部との間からフィルタを引き出す簡易な作業によって、フィルタを容易に取り外すことができる。
【００１８】
さらに第１当接部は、フィルタの進入口側の端縁が、フィルタの進入を案内するテーパ面に形成されており、第１当接部と第２当接部との間にフィルタを進入させる際にフィルタがテーパ面の端縁の上を摺動することから、第１当接部と第２当接部との間へのフィルタの進入が誘導される。従って、フィルタのスムーズな装着が実現される。
【００１９】
請求項２に記載の発明は、請求項１に記載の空気清浄装置において、前記第１当接部または第２当接部の少なくともいずれか一方に、前記フィルタを該フィルタの保持位置に位置決めするガイド部が形成されたことを特徴とする。
【００２０】
この構成によれば、第１当接部または第２当接部の少なくともいずれか一方には、フィルタを保持位置に位置決めするガイド部が形成されていることから、第１当接部と第２当接部との間にフィルタを進入させることによって、フィルタが保持位置に容易に位置決めされる。
【００２１】
請求項３に記載の発明は、請求項１または２に記載の空気清浄装置において、前記第２当接部は、前記第１当接部と前記第２当接部との間に前記フィルタを保持させる際に該フィルタを進入させる進入口側の端縁が、前記フィルタの進入を案内するテーパ面に形成されたことを特徴とする。
【００２２】
この構成によれば、第２当接部は、フィルタの進入口側の端縁が、フィルタの進入を案内するテーパ面に形成されており、第１当接部と第２当接部との間にフィルタを進入させる際にフィルタがテーパ面の端縁の上を摺動することから、第１当接部と第２当接部との間へのフィルタの進入が誘導される。従って、フィルタのスムーズな装着が実現される。
【００２３】
請求項４に記載の発明は、請求項１〜３のいずれか１項に記載の空気清浄装置において、前記フィルタは、前記一端面から他端面に亘って貫通する筒孔を有する筒状に形成され、前記第１当接部は、前記フィルタの一端面に当接した状態で前記筒孔に突出して該筒孔に内接する凸部が形成されたことを特徴とする。
【００２４】
この構成によれば、フィルタの一端面が第１当接部に当接することによって、第１当接部に形成された凸部がフィルタの筒孔に突出して筒孔に内接することから、第１当接部とフィルタとがずれることなく、適正な状態で保持される。
【発明の効果】
【００２５】
この発明によれば、第１当接部と第２当接部との間にフィルタを進入させる簡易な作業でフィルタを空気清浄装置に容易に装着することができ、かつ第１当接部と第２当接部との間からフィルタを引き出す簡易な作業によって、空気清浄装置からフィルタを容易に取り外すことができる。
【図面の簡単な説明】
【００２６】
【図１】本発明の実施の形態に係る空気清浄装置の概略を説明する斜視図である。
【図２】同じく、本実施の形態に係る空気清浄装置において、フィルタが保持された状態の概略を説明する図である。
【図３】同じく、本実施の形態に係る空気清浄装置の概略を説明する斜視図であり、（ａ）はフィルタが装着されていない状態において下方からみた斜視図、（ｂ）はフィルタが装着されていない状態において上方からみた斜視図である。
【図４】図１のＩＶ−ＩＶ線断面図である。
【図５】図４の矢線Ａで示す空気清浄装置の要部を拡大した図である。
【図６】図４の矢線Ｂで示す空気清浄装置の要部を拡大した図である。
【図７】同じく、本実施の形態に係るフィルタ保持部にフィルタを保持させる作業の概略を説明する図であり、（ａ）はフィルタ保持部にフィルタを保持させる場合の概略説明図、（ｂ）はフィルタ保持部にフィルタが保持された状態の概略説明図である。
【図８】同じく、本実施の形態に係るフィルタ保持部からからフィルタを取り外す作業の概略を説明する図であり、（ａ）はフィルタ保持部からフィルタを取り外す場合の概略説明図、（ｂ）はフィルタ保持部からフィルタを取り外した状態の概略説明図である。
【図９】従来の空気清浄装置の概略を説明する断面図である。
【発明を実施するための形態】
【００２７】
次に、本発明の実施の形態について、図１〜図８に基づいて説明する。なお、本実施の形態において、空気清浄装置が、フィルタ及びファンが空気の流れ方向の上流側から下流側に向かって縦列に配置された縦置型であって、居室内で使用される空気清浄装置である場合を例として説明する。
【００２８】
図１は、空気清浄装置の概略を説明する斜視図、図２は、フィルタが保持された状態の空気清浄装置の概略を説明する図、図３は、同じく空気清浄装置の概略を説明する斜視図、図４は、図１のＩＶ−ＩＶ線断面図である。
【００２９】
図示のように、空気清浄装置１０は、空気の中の浮遊物質を集塵するフィルタ６０を備え、このフィルタ６０を着脱可能に保持する。
【００３０】
フィルタ６０は、貫通する筒孔６１ａを有する円筒状の集塵フィルタ体６１、及び集塵フィルタ体６１の筒孔６１ａ内に嵌合して保持されるとともに、貫通する筒孔６２ａを有する円筒状の脱臭ユニット６２を備える。
【００３１】
この集塵フィルタ体６１の下側の端面と脱臭ユニット６２の下側の端面とによってフィルタ６０の一端面６０ａが構成され、集塵フィルタ体６１の上側の端面と脱臭ユニット６２の上側の端面とによってフィルタ６０の他端面６０ｂが構成される。
【００３２】
一方、集塵フィルタ体６１の外周面がフィルタ６０の外周面６０ｃとして構成され、脱臭ユニット６２の筒孔６２ａが、フィルタ６０の一端面６０ａから他端面６０ｂに亘って貫通する、フィルタ６０の筒孔として構成される。
【００３３】
このフィルタ６０には、その外周面６０ｃよりも外方に突出する合成繊維製の把持部６０ｄが、フィルタ６０の一端面６０ａ及び他端面６０ｂのそれぞれに設けられている。
【００３４】
かかるフィルタ６０は、脱臭ユニット６２の筒孔６２ａの軸芯が空気清浄装置１０の中心線Ｃと同軸上に配置される保持位置に保持され、脱臭ユニット６２によって空気を脱臭するとともに、集塵フィルタ体６１によって、空気中の塵埃や花粉等の浮遊物質を除去する。
【００３５】
このような円筒状のフィルタ６０が保持される空気清浄装置１０は、円筒型であって樹脂製の本体ケーシング１１によって、その外形が構成される。この本体ケーシング１１は、複数のリブ１１ｃによって補強された外壁１１ａを備え、この外壁１１ａにおける空気清浄装置１０の底部に相当する部分が、基部１１Ａとして構成される。
【００３６】
本体ケーシング１１は、本実施の形態では、フィルタ６０を保持するフィルタ保持部１２と、ファン１８を収容するファン収容部１７とが区画形成されている。
【００３７】
本体ケーシング１１の外壁１１ａの一部には、フィルタ保持部１２にフィルタ６０を進入させて保持させる際のフィルタ６０の進入口であって、かつフィルタ保持部１２からフィルタ６０を取り外す際のフィルタ６０の取出口でもあるフィルタ着脱用開口部１１ｂが形成される。
【００３８】
このフィルタ着脱用開口部１１ｂは、フィルタカバー１４が係合して閉鎖されるとともに、フィルタ着脱用開口部１１ｂの下方に設けられたレバー１４ａによって係合が解除されてフィルタカバー１４が取り外されて、フィルタ着脱用開口部１１ｂが開放される。
【００３９】
さらに、本体ケーシング１１の外壁１１ａの一部には、フィルタ保持部１２内に空気を導入する導入口１５が形成される。
【００４０】
一方、本体ケーシング１１の上部には、空気清浄装置１０の上方に向かって開口して上方に空気を排出する排出口１６が形成され、この排出口１６には、ファンガード１６ａが取り付けられている。
【００４１】
フィルタ保持部１２は、本実施の形態では、フィルタ支持装置２０、仕切部３０及びフィルタ支持装置２０と仕切部３０との間の本体ケーシング１１の外壁１１ａによって区画されて形成される。
【００４２】
このフィルタ保持部１２の各部の具体的な構成について、以下説明する。
【００４３】
図５は、図４の矢線Ａで示す空気清浄装置１０のフィルタ支持装置２０を拡大した図である。図示のように、フィルタ支持装置２０は、平面視略円盤状の第１当接部２２を備える。
【００４４】
第１当接部２２には、中心線Ｃと同軸上であって第１当接部２２の略中央部において、仕切部３０側に向かって突出するとともに仕切部３０に向かうに従って漸次縮径するテーパ状の凸部２２ａが形成されており、フィルタ６０の一端面６０ａが第１当接部２２に当接した状態において、この凸部２２ａがフィルタ６０の脱臭ユニット６２の筒孔６２ａ内に突出して、凸部２２ａが筒孔６２ａに内接する。
【００４５】
この第１当接部２２におけるフィルタ着脱用開口部１１ｂ側の端縁２２ｂは、フィルタ保持部１２へのフィルタ６０の進入を案内するテーパ面に形成されている。すなわち、端縁２２ｂは、矢線Ｒで示すフィルタ６０の取出方向に向かうに従って仕切部３０から離反する方向に漸次傾斜して形成される。
【００４６】
一方、第１当接部２２におけるフィルタ着脱用開口部１１ｂから矢線Ｆで示すフィルタ６０の進入方向側には、仕切部３０側に向かって突出して、フィルタ６０をフィルタ保持部１２に装着する際にフィルタ６０の外周面６０ｃに当接してフィルタ６０を保持位置に位置決めするガイド部２２ｃが形成されている。
【００４７】
このような第１当接部２２と基部１１Ａとの間には、図示しないコイルスプリングが予め設定された初期長において内蔵された付勢手段である第１伸縮部２３Ａ及び第２伸縮部２３Ｂが設けられ、第１当接部２２が第１伸縮部２３Ａ及び第２伸縮部２３Ｂによって弾性的に支持される。
【００４８】
一方、基部１１Ａには、第１伸縮部２３Ａ及び第２伸縮部２３Ｂが収縮して第１当接部２２が下降した際に、第１当接部２２の裏面に当接して第１当接部２２の下降を規制する下降規制部２４が設けられる。
【００４９】
図６は、図４の矢線Ｂで示す空気清浄装置１０の仕切部３０を拡大した図である。図示のように、仕切部３０は、フィルタ６０の他端面６０ｂに当接する平面視略環状の第２当接部３１を備える。
【００５０】
この平面視略環状に形成された第２当接部３１の中央部分には、図２（ａ）で示したように、フィルタ保持部１２とファン収容部１７とを連通する開口部を有する連通板３２がはめ込まれており、第２当接部３１及び連通板３２によって仕切部３０が構成される。
【００５１】
このように形成された仕切部３０によって、フィルタ保持部１２とファン収容部１７とが区画されて形成されている。
【００５２】
第２当接部３１におけるフィルタ着脱用開口部１１ｂ側の端縁３１ａは、フィルタ保持部１２へのフィルタ６０の進入を案内するテーパ面に形成されている。すなわち、端縁３１ａは、フィルタ着脱用開口部１１ｂに向かう矢線Ｒで示すフィルタ６０の取出方向に向かうに従ってフィルタ支持装置２０から離反する方向に漸次傾斜して形成される。
【００５３】
一方、第２当接部３１におけるフィルタ着脱用開口部１１ｂから矢線Ｆで示すフィルタ６０の進入方向側には、フィルタ支持装置２０側に向かって突出して、フィルタ６０をフィルタ保持部１２に装着する際にフィルタ６０の外周面６０ｃに当接してフィルタ６０を保持位置に位置決めするガイド部３１ｂが形成されている。
【００５４】
ファン収容部１７は、本実施の形態では、仕切部３０、ファンガード１６ａ、及び仕切部３０とファンガード１６ａとの間の本体ケーシング１１の外壁１１ａによって区画されて形成される。
【００５５】
ファン１８は、本実施の形態では、一方向に回転する第１ファン１８Ａ及び第１ファン１８Ａと反対方向に回転する第２ファン１８Ｂによって構成される。第１ファン１８Ａは、羽根部１８Ａａ及び筒軸１８Ａｂによって構成され、同様に、第２ファン１８Ｂは、羽根部１８Ｂａ及び筒軸１８Ｂｂによって構成される。
【００５６】
このようなファン１８は、本実施の形態では、排出口１６に形成されたファンガード１６ａから空気が排出されるように、ファンガード１６ａの直下に取り付けられる。
【００５７】
次に、本実施の形態に係る空気清浄装置１０のフィルタ保持部１２にフィルタ６０を保持させる作業及び取り外し作業、並びに空気清浄装置１０の作動について説明する。
【００５８】
図７は、本実施の形態に係るフィルタ保持部１２にフィルタ６０を保持させる作業の概略を説明する図、図８は、フィルタ保持部１２からフィルタ６０を取り外す作業の概略を説明する図である。
【００５９】
まず、フィルタ保持部１２にフィルタ６０を装着する場合は、フィルタカバー１４を取り外してフィルタ着脱用開口部１１ｂを開放してフィルタ保持部１２を外部に露出させた状態とする。
【００６０】
その後、図７（ａ）で示すように、本体ケーシング１１の下部に形成されたフィルタ着脱用開口部１１ｂを介して、このフィルタ着脱用開口部１１ｂ側にフィルタ６０の把持部６０ｄが位置決めされるように、第１当接部２２上及び第２当接部３１にフィルタ６０を摺動させることによって、フィルタ６０をフィルタ保持部１２内に進入させる。
【００６１】
フィルタ６０をフィルタ保持部１２内に進入させる場合は、フィルタ６０の一端面６０ａが第１当接部２２に摺接すると、この摺接に追従して第１伸縮部２３Ａ及び第２伸縮部２３Ｂが収縮して、フィルタ６０のフィルタ保持部１２内への進入が許容される一方、フィルタ６０の他端面６０ｂが第２当接部３１に摺接する。
【００６２】
このとき、フィルタ６０の一端面６０ａ側の周縁が、第１当接部２２のテーパ状の端縁２２ｂ上を摺動するとともに、フィルタ６０の他端面６０ｂ側の周縁が、第２当接部３１のテーパ状の端縁３１ａに摺動することから、フィルタ６０のフィルタ保持部１２内への進入がスムーズに誘導される。
【００６３】
フィルタ６０の一端面６０ａが第１当接部２２上を摺接し、かつフィルタ６０の他端面６０ｂが第２当接部３１に摺接する。第１当接部２２上を摺接する際は、第１当接部２２に形成された凸部２２ａが第２当接部３１に向かうに従って漸次縮径するテーパ状に形成されていることから、フィルタ６０の一端面６０ａは凸部２２ａの上を摺動する。
【００６４】
このように、フィルタ６０の一端面６０ａを第１当接部２２上で摺動させ、他端面６０ｂを第２当接部３１に摺動させることにより、フィルタ６０の外周面６０ｃの下側を第１当接部２２のガイド部２２ｃに当接させ、かつフィルタ６０の外周面６０ｃの上側を第２当接部３１のガイド部３１ｂに当接させる。
【００６５】
フィルタ６０の外周面６３の下側を第１当接部２２のガイド部２２ｃに当接させ、かつフィルタ６０の外周面６３の上側を第２当接部３１のガイド部３１ｂに当接させ、フィルタ６０の一端面６０ａが第１当接部２２に当接し、さらにフィルタ６０の他端面６０ｂが第２当接部３１に当接する。これにより、フィルタ６０が保持位置に位置決めされる。
【００６６】
さらに、フィルタ６０の一端面６０ａが第１当接部２２に当接することによって、第１当接部２２に形成された凸部２２ａがフィルタ６０の脱臭ユニット６２の筒孔６２ａ内に突出して凸部２２ａが筒孔６２ａに内接し、空気清浄装置１０の中心線Ｃとフィルタ６０の軸芯とが一致せしめられる。
【００６７】
この状態において、フィルタ６０がフィルタ保持部１２内に進入する際に収縮した第１伸縮部２３Ａ及び第２伸縮部２３Ｂが伸長して、図７（ｂ）の矢線Ｐで示すように、第１当接部２２を第２当接部３１に向かって付勢する。
【００６８】
これにより、フィルタ６０の他端面６０ｂが仕切部３０を構成する第２当接部３１に押しつけられて、フィルタ６０がフィルタ保持部１２に保持される。
【００６９】
フィルタ６０がフィルタ保持部１２に保持された状態において、空気清浄装置１０の電源が投入されると、ファン１８の第１ファン１８Ａ及び第２ファン１８Ｂが回転し、居室内の空気が導入口１５から吸い込まれる。
【００７０】
導入口１５から吸い込まれた空気は、空気の流れ方向の上流側から下流側に向かって縦列に配置されたフィルタ６０及びファン１８の順に、空気清浄装置１０内を流動する。
【００７１】
具体的には、導入口１５から吸い込まれた空気は、フィルタ保持部１２に保持されたフィルタ６０内に流入し、集塵フィルタ体６１によって、空気中の塵埃や花粉等の浮遊物質が捕集されて除去され、脱臭ユニット６２によって脱臭される。
【００７２】
このように、フィルタ６０によって浮遊物質が除去されて脱臭されて清浄化された空気は、回転するファン１８の第１ファン１８Ａ及び第２ファン１８Ｂによって、仕切部３０の連通板３２を介してファン収容部１７内に流入して、ファン１８の回転によって、ファンガード１６ａを介して排出口１６から排出される。
【００７３】
次に、フィルタ保持部１２からフィルタ６０を取り外す場合は、まず、フィルタカバー１４を取り外してフィルタ着脱用開口部１１ｂを開放して、図８（ａ）で示すように、フィルタ６０を外部に露出させた状態とする。
【００７４】
その後、フィルタ６０の把持部６０ｄを把持してフィルタ６０を取出方向Ｒに沿ってフィルタ保持部１２から引き出すと、図８（ｂ）に示すように、フィルタ６０の一端面６０ａが第１当接部２２に摺接して第１伸縮部２３Ａ及び第２伸縮部２３Ｂが収縮し、フィルタ６０のフィルタ保持部１２からの引き出しが許容される一方、フィルタ６０の他端面６０ｂが第２当接部３１に摺接する。
【００７５】
このとき、第１当接部２２の端縁２２ｂはテーパ面に形成されていることから、フィルタ６０の一端面６０ａ側の周縁が第１当接部２２に引っかかることがなく、かつ第２当接部３１の端縁３１ａもテーパ面に形成されていることから、フィルタ６０の他端面６０ｂ側の周縁が第２当接部３１に引っかかることもない。
【００７６】
フィルタ６０をフィルタ保持部１２から引き出すと、収縮した第１伸縮部２３Ａ及び第２伸縮部２３Ｂが伸長して、予め設定されたコイルスプリングの初期長に復帰する。
【００７７】
このように、上記構成の空気清浄装置１０は、第１当接部２２、この第１当接部と対向する第２当接部３１、及び本体ケーシング１１の外壁１１ａによって区画形成されたフィルタ保持部１２内にフィルタ６０を進入させる簡易な動作によって、第１伸縮部２３Ａ及び第２伸縮部２３Ｂを介して第１当接部２２を第２当接部３１側に付勢させることにより、フィルタ６０をフィルタ保持部１２に保持させることができる。
【００７８】
このとき、フィルタ６０の一端面６０ａ側の周縁が、第１当接部２２のテーパ状の端縁２２ｂ上を摺動するとともに、フィルタ６０の他端面６０ｂ側の周縁が、第２当接部３１の端縁３１ａ上を摺動することから、フィルタ６０のフィルタ保持部１２内への進入がスムーズに誘導される。従って、フィルタ６０のスムーズな保持が実現される。
【００７９】
第１当接部２２及び第２当接部３１にはそれぞれ、ガイド部２２ｃ及び３１ｂが形成されていることから、フィルタ６０の外周面６０ｃの下側が第１当接部２２のガイド部２２ｃに当接され、かつフィルタ６０の外周面６０ｃの上側が第２当接部３１のガイド部３１ｂに当接されて、フィルタ６０が保持位置に位置決めされる。
【００８０】
このとき、フィルタ６０の一端面６０ａが第１当接部２２に当接し、さらにフィルタ６０の他端面６０ｂが第２当接部３１に当接することから、フィルタ６０が保持位置に位置決めされた状態で第１当接部２２を第２当接部３１側に付勢させることで、フィルタ６０がフィルタ保持部１２に保持される。
【００８１】
さらに、フィルタ６０の一端面６０ａが第１当接部２２に当接することによって、第１当接部２２に形成された凸部２２ａがフィルタ６０の脱臭ユニット６２の筒孔６２ａ内に突出して筒孔６２ａに内接し、空気清浄装置１０の中心線Ｃとフィルタ６０の軸芯とが一致せしめられることから、フィルタ６０の軸芯が偏芯することなく、適正な状態で保持される。
【００８２】
なお、本発明は上記実施の形態に限定されることはなく、発明の趣旨を逸脱しない範囲で種々変更可能である。上記実施の形態では、フィルタ６０及びファン１８が空気の流れ方向の上流側から下流側に向かって縦列に配置された縦置型である場合を説明したが、例えば、横置型であってもよい。
【００８３】
上記実施の形態では、ファン１８が第１ファン１８Ａ及び第２ファン１８Ｂによって構成された場合を説明したが、単体のファンによって構成してもよい。
【符号の説明】
【００８４】
１０    空気清浄装置
１１    本体ケーシング
１１ｂ    フィルタ着脱用開口部（進入口）
１２    フィルタ保持部
１５    導入口
１６    排出口
１７    ファン収容部
１８    ファン
２０    フィルタ支持装置
２２    第１当接部
２２ａ    凸部
２２ｂ    端縁
２２ｃ    ガイド部
２３Ａ    第１伸縮部（付勢手段）
２３Ｂ    第２伸縮部（付勢手段）
３０    仕切部
３１    第２当接部
３１ａ    端縁
３１ｂ    ガイド部
６０    フィルタ
６０ａ    一端面
６０ｂ    他端面
６０ｃ    外周面
６１    集塵フィルタ体
６２    脱臭ユニット
６２ａ    筒孔
【図１】
2016034602.tif 000003
【図２】
2016034602.tif 000004
【図３】
2016034602.tif 000005
【図４】
2016034602.tif 000006
【図５】
2016034602.tif 000007
【図６】
2016034602.tif 000008
【図７】
2016034602.tif 000009
【図８】
2016034602.tif 000010
【図９】
2016034602.tif 000011